(57)【要約】      （修正有）【課題】柱の内部への水の侵入を防止することができる柱構造を提供する。【解決手段】ユニット住宅の出隅部２２に配置されると共に建物上下方向を長手方向として設置された中空状の柱本体部２８と、柱本体部２８の上端部３０の開口２５を塞ぐよう配置されると共に、上端部３０における縁部４８の全周に溶接された金具部材３２と、を有する。【選択図】図３
2015151706.tif 000002
【特許請求の範囲】
【請求項１】
建物の出隅に配置されると共に建物上下方向を長手方向として設置された中空状の柱本体部と、
前記柱本体部の上端部の開口を塞ぐように配置されると共に、当該上端部における縁部の全周に溶接された金具部材と、
を有する柱構造。
【請求項２】
前記建物の出隅は、ロジアの出隅とされた、
請求項１記載の柱構造。
【請求項３】
前記金具部材は、断面が底部と側部とでＬ字状に形成されたブラケットで構成された、
請求項１又は請求項２に記載の柱構造。
【請求項４】
前記金具部材は、前記ブラケットにおける前記底部が前記建物の天井フレームの下部に取り付けられると共に前記側部が建物上下方向下側へ延出されるように取り付けられた第１ブラケットと、
前記ブラケットにおける前記底部が前記柱本体部の前記上端部における前記縁部の全周に溶接されると共に前記側部が建物上下方向上側へ延出された第２ブラケットと、
を有する請求項３記載の柱構造。
【請求項５】
前記第１ブラケット及び前記第２ブラケットは、それぞれ一対の前記ブラケットで構成されていると共に、前記ブラケットはそれぞれの前記ブラケットの前記側部同士が対向するよう設けられた、
請求項４記載の柱構造。
【請求項６】
前記第１ブラケットにおける一対の前記ブラケットの前記側部同士の間には間隙が形成されていると共に、当該間隙内に前記第２ブラケットの前記側部が挿入されて構成された、
請求項５記載の柱構造。
【請求項７】
前記第１ブラケット及び前記第２ブラケットの前記側部には貫通孔が設けられると共に、当該貫通孔に挿通される締結具により前記第１ブラケット及び前記第２ブラケットが締結された、
請求項４〜請求項６のいずれか一項に記載の柱構造。
【請求項８】
前記金具部材の建物上下方向上側には、前記第１ブラケットの前記底部の上方から前記底部に重ねるように蓋板が取り付けられると共に、当該蓋板を介して前記第１ブラケットが前記天井フレームの下部に取り付けられた、
請求項４〜請求項７のいずれか一項に記載の柱構造。
【請求項９】
前記柱本体部の前記上端部における、柱側面と直交する方向での柱本体部の外側には見切り材が設けられた、
請求項１〜請求項８のいずれか一項に記載の柱構造。
【請求項１０】
前記見切り材と建物外壁との間には、防水材が設けられた、
請求項９記載の柱構造。
【発明の詳細な説明】
【技術分野】
【０００１】
本発明は、柱構造に関する。
【背景技術】
【０００２】
下記特許文献１には、建物の柱の内部への雨水の侵入を防ぐ構造が開示されている。具体的には、柱を構成する柱本体部と、柱本体部の上端部に設けられるブラケットにより構成されている。ブラケットは、平板状の固定材と柱本体部に相似形かつ柱本体部を内部に収める柱呑み込み空間を有する柱取付用部材とにより構成されており、固定材はシール材を介して柱取付用部材の上端部、すなわち柱呑み込む空間の上方を塞ぐようにビスにより締め付けられる。つまり、柱本体部の上部にシール材によって柱呑み込み空間の上方が塞がれたブラケットが被せられることで、柱本体部の内部へ雨水が浸入するのを防ぐことができる。
【先行技術文献】
【特許文献】
【０００３】
【特許文献１】特開２００５−２０７０３７号公報
【発明の概要】
【発明が解決しようとする課題】
【０００４】
しかしながら、上記先行技術による場合、ブラケットの固定材は柱取付用部材の上端部にシール材を介して締め付けられている。したがって、シール材の劣化により固定材と柱取付用部材との締め付け部から水が浸入する可能性がある。また、柱取付用部材の側面には、柱本体部に対する取り付け位置を調整可能とするための取付位置調整用長孔が設けられているが、柱本体部に対し柱取付用部材が高い位置に取り付けられている場合等では、取付位置調整用長孔の一部が柱本体部の上端部端末より上方に位置する場合がある。係る場合、取付位置調整用長孔から柱本体部の内部へと雨水が浸入する可能性がある。
【０００５】
本発明は上記問題を考慮し、柱本体部の内部への水の侵入を防止することができる柱構造を得ることを目的とする。
【課題を解決するための手段】
【０００６】
請求項１の発明は、建物の出隅に配置されると共に建物上下方向を長手方向として設置された中空状の柱本体部と、前記柱本体部の上端部の開口を塞ぐように配置されると共に、当該上端部における縁部の全周に溶接された金具部材と、を有している。
【０００７】
請求項２記載の発明に係る柱構造は、請求項１に記載の柱構造において、前記建物の出隅は、ロジアの出隅とされている。
【０００８】
請求項３記載の発明に係る柱構造は、請求項１又は請求項２に記載の柱構造において、前記金具部材は、断面が底部と側部とでＬ字状に形成されたブラケットで構成されている。
【０００９】
請求項４記載の発明に係る柱構造は、請求項３に記載の柱構造において、前記金具部材は、前記ブラケットにおける前記底部が前記建物の天井フレームの下部に取り付けられると共に前記側部が建物上下方向下側へ延出されるように取り付けられた第１ブラケットと、前記ブラケットにおける前記底部が前記柱本体部の前記上端部における前記縁部の全周に溶接されると共に前記側部が建物上下方向上側へ延出された第２ブラケットと、を有している。
【００１０】
請求項５記載の発明に係る柱構造は、請求項４に記載の柱構造において、前記第１ブラケット及び前記第２ブラケットは、それぞれ一対の前記ブラケットで構成されていると共に、前記ブラケットはそれぞれの前記ブラケットの前記側部同士が対向するよう設けられている。
【００１１】
請求項６記載の発明に係る柱構造は、請求項５に記載の柱構造において、前記第１ブラケットにおける一対の前記ブラケットの前記側部同士の間には間隙が形成されていると共に、当該間隙内に前記第２ブラケットの前記側部が挿入されて構成されている。
【００１２】
請求項７記載の発明に係る柱構造は、請求項４〜請求項６のいずれか一項に記載の柱構造において、前記第１ブラケット及び前記第２ブラケットの前記側部には貫通孔が設けられると共に、当該貫通孔に挿通される締結具により前記第１ブラケット及び前記第２ブラケットが締結されている。
【００１３】
請求項８記載の発明に係る柱構造は、請求項４〜請求項７のいずれか一項に記載の柱構造において、前記金具部材の建物上下方向上側には、前記第１ブラケットの前記底部の上方から前記底部に重ねるように蓋板が取り付けられると共に、当該蓋板を介して前記第１ブラケットが前記天井フレームの下部に取り付けられている。
【００１４】
請求項９記載の発明に係る柱構造は、請求項１〜請求項８のいずれか一項に記載の柱構造において、前記柱本体部の前記上端部における、柱側面と直交する方向での柱本体部の外側には、見切り材が設けられている。
【００１５】
請求項１０記載の発明に係る柱構造は、請求項９記載の柱構造において、前記見切り材と建物外壁との間には防水材が設けられている。
【００１６】
請求項１記載の本発明によれば、中空状の柱本体部の上端部における開口は、溶接で接合された金具部材によって塞がれている。したがって、柱本体部の内部への水等の侵入を防止することができる。また、金具部材と柱本体部とは、溶接により接合されているため、防水性能の低下を抑制することができる。
【００１７】
請求項２記載の本発明によれば、通常ロジアの出隅は風雨に曝されるため、ロジアの出隅に設けられた柱本体部の内部には雨水が浸入しやすいが、本発明の柱構造では、柱本体部の上端部の開口は溶接で接合された金具部材によって塞がれているため、柱本体部の内部への水等の侵入を防止することができる。また、金具部材と柱本体部とは、溶接により接合されているため、防水性能の低下を抑制することができる。
【００１８】
請求項３記載の本発明によれば、断面がＬ字状の既製のブラケットを使用することができるので、専用のブラケットが不要となる。したがって、専用のブラケットの製造工程及び製造設備等が不要となる。
【００１９】
請求項４記載の本発明によれば、天井フレームに取り付けられるブラケットと柱本体部上部に取り付けられるブラケットとは、断面がＬ字状の既製のブラケットをそれぞれ使用することができるので、専用のブラケットが不要となる。したがって、専用のブラケットの製造工程及び製造設備等が不要となる。また、同一のブラケットを使用することで部品種類を削減することができる。
【００２０】
請求項５記載の本発明によれば、第１ブラケット及び第２ブラケットはそれぞれが一対のブラケットで構成されていることから、第１ブラケット及び第２ブラケットで構成される金具部材の剛性を向上させることができる。
【００２１】
請求項６記載の本発明によれば、天井フレームに取り付けられている第１ブラケットの側部同士の間の間隙内に柱本体部の上端部に取り付けられた第２ブラケットの側部を挿入させることで、柱本体部を天井フレームへの取付位置へと容易にセットすることができる。
【００２２】
請求項７記載の本発明によれば、ボルトを締結することで、柱本体部を建物へと固定することができるため、柱本体部の建物への取付作業時間を短縮させることができる。
【００２３】
請求項８記載の本発明によれば、金具部材は天井フレームに直接取り付けずに蓋板を介して取り付けられている。すなわち、金具部材を蓋板へ取り付ける溶接作業を工場内にて作業しやすい向きで行うことができる。つまり、現場等での作業しにくい向きでの溶接作業に比べて安定した環境の中で溶接作業を行うことができる。
【００２４】
請求項９記載の本発明によれば、建物外側からの視線を見切り材により遮ることができる。すなわち、見切り材が設けられることによって建物の外側から柱本体部の上端部が外観上露見しなくなる。
【００２５】
請求項１０記載の本発明によれば、見切り材と建物外壁との間からの水の浸入を抑制することができる。すなわち、見切り材と建物外壁との間に設けられる防水材が一次防水として作用することで、建物の建物外壁に沿って流れる水の柱本体部内への浸入が抑制されると共に、柱本体部の上端部に取り付けられた金具部材が二次防水として作用することでさらに水の浸入が抑制される。したがって、風雨に曝される場所等においても柱本体部の上端部の開口からの水の浸入を確実に抑制することができる。
【発明の効果】
【００２６】
請求項１記載の本発明に係る柱構造は、柱本体部の内部への水の侵入を防止することができるという優れた効果を有する。
【００２７】
請求項２記載の本発明に係る柱構造は、水が浸入しやすい箇所においても柱本体部の内部への水の浸入を防止することができるという優れた効果を有する。
【００２８】
請求項３記載の本発明に係る柱構造は、コストを低減することができるという優れた効果を有する。
【００２９】
請求項４記載の本発明に係る柱構造は、コストをより低減することができるという優れた効果を有する。
【００３０】
請求項５記載の本発明に係る柱構造は、剛性を向上させることができるという優れた効果を有する。
【００３１】
請求項６記載の本発明に係る柱構造は、作業性をより向上させることができるという優れた効果を有する。
【００３２】
請求項７記載の本発明に係る柱構造は、作業性を一層向上させることができるという優れた効果を有する。
【００３３】
請求項８記載の本発明に係る柱構造は、品質を安定させることができるという優れた効果を有する。
【００３４】
請求項９記載の本発明に係る柱構造は、建物外観を向上させることができるという優れた効果を有する。
【００３５】
請求項１０記載の本発明に係る柱構造は、柱本体部の内部への水の浸入を確実に防止することができるという優れた効果を有する。
【図面の簡単な説明】
【００３６】
【図１】第１実施形態に係る柱構造を有する柱が設けられたロジアを有するユニット住宅を示す外観図である。
【図２】第１実施形態に係る柱構造を有する柱が設けられたロジアを建物上下方向下側から建物上下方向上側へと見た状態を示す外観斜視図である。
【図３】第１実施形態に係る柱構造を有する柱の主要構造部を示す拡大断面図である。
【図４】第１実施形態に係る柱構造における金具部材の一部を示す斜視図である。
【図５】対比例に係る柱構造を有するロジア支柱部を示す拡大断面図である。
【図６】（Ａ）は第２実施形態に係る柱構造における金具部材の一部を示す斜視図であり、（Ｂ）は（Ａ）の金具部材の締結状態を示す拡大断面図である。
【図７】（Ａ）は第３実施形態に係る柱構造における金具部材の一部を示す斜視図であり、（Ｂ）は（Ａ）の金具部材の締結状態を示す拡大断面図である。
【発明を実施するための形態】
【００３７】
（第１実施形態）
以下、図１〜図４を用いて、本発明に係る柱構造の第１実施形態について説明する。
【００３８】
図１には、複数の建物ユニット１１で構成された建物としてのユニット住宅１０の外観側面図が示されている。このユニット住宅１０は、図示しない基礎と、基礎上に据付けられた複数の建物ユニット１１で構成された一階部分１２及び一階部分１２の上方に据付けられた二階部分１４を含む住宅本体部１６と、住宅本体部１６の上に設けられた寄棟屋根形式の屋根１８とによって構成されている。
【００３９】
住宅本体部１６の二階部分１４には、ロジアとしてのバルコニー２０が設けられている。このバルコニー２０は、一例として図２に示されるようにユニット住宅１０の外側に突出した部分に設けられており、このバルコニー２０の上方を覆うように屋根１８が設けられている。また、バルコニー２０の出隅としての出隅部２２には、屋根１８を支える柱２４がバルコニー２０の腰壁２６の上部に取り付けられている。
【００４０】
図３に示されるように、柱２４は、建物上下方向に延伸する柱本体部２８と柱本体部２８の上端部３０に取り付けられる金具部材３２とにより構成されている。この柱本体部２８は、内部が中空とされた鉄製の角柱で構成されており、上端部３０には建物上下方向上側へ開口された開口２５を有している。
【００４１】
金具部材３２は、柱本体部２８に取り付けられる第２ブラケット３４と、第２ブラケット３４の上方に設けられる第１ブラケット３６とで構成されている。第１ブラケット３６は、底部３８と底部３８の一方の端部から底部３８に対し略垂直に延出された側部４０とで断面が略Ｌ字状に形成されたブラケット４２が一対で設けられた構成とされている。この一対のブラケット４２のそれぞれの底部３８は、平板状に形成された蓋板４４に溶接されており、側部４０の断面外側面４６同士がそれぞれ対向すると共に、この側部４０同士の間に側部４０の板厚の２枚分と同一の寸法とされた間隙５０が形成されるよう蓋板４４に取り付けられている。なお、この蓋板４４は、第１ブラケット３６が取り付けられていない側の平面がロジア上方の天井フレーム７０の下面７１へと溶接等により接合される。これにより、第１ブラケットは天井フレーム７０の下面７１に取り付けられる。したがって、第１ブラケット３６の側部４０が建物上下方向に沿う方向で取り付けられる。
【００４２】
第２ブラケット３４も、前述の第１ブラケット３６と同様に、ブラケット４２が一対設けられた構成とされている。第２ブラケット３４におけるこの一対のブラケット４２は、側部４０の断面外側面４６同士が接合すると共に、底部３８が柱本体部２８の上端部３０における縁部４８の全周に溶接にて取り付けられている（図４参照）。これにより、間隙５０内に第２ブラケット３４の側部４０が挿入可能とされている。
【００４３】
間隙５０内に第２ブラケット３４の側部４０が挿入された状態で、第１ブラケット３６におけるブラケット４２の側部４０と第２ブラケット３４におけるブラケット４２の側部４０とには、同一軸上の位置に板厚方向に貫通されたボルト締結用孔５２がそれぞれ形成されている。なお、第１ブラケット３６における一方のブラケット４２の側部４０の外側面５４には予めナット５６が溶着されている。したがって、柱２４をユニット住宅１０へ取り付ける際には、第１ブラケット３６の間隙５０内に第２ブラケット３４の接合された側部４０を挿入し、ボルト締結用孔５２に締結具としてのボルト５８を挿通させる。そして、ナット５６と挿通されたボルト５８とで螺合させることで、第１ブラケット３６と第２ブラケット３４とが結合されて、柱２４が天井フレーム７０へと取り付けられる。
【００４４】
柱本体部２８の上端部３０の断面外側には、見切り材６０が設けられている。この見切り材６０は、柱本体部２８に対し間隙６２を形成すると共に柱本体部２８の上端部３０の周方向に沿って設けられている。また、見切り材６０の下方には、間接部材６４を介して支柱カバー６６が設けられている。この支柱カバー６６は、柱本体部２８に対し間隙６８を形成すると共に柱本体部２８の周方向に沿って設けられている。さらに、天井フレーム７０の建物外側には、建物外壁としての外壁面材７２が取り付けられている。この外壁面材７２は、天井フレーム７０よりも建物上下方向下側へと延出されていると共に、見切り材６０の上面７４に対し間隙７６を形成する位置まで延出されている。なお、外壁面材７２の建物外側面５５と見切り材６０の建物外側面５７とは、略同一面上に位置するように設定されている。
【００４５】
外壁面材７２と見切り材６０との間に設けられる間隙７６には、防水材７８が挿入されている。防水材７８は、一例としてＥＰＤＭ等の定形材によって形成されている。この防水材７８が挿入されることで、間隙７６が塞がれている。同様に、支柱カバー６６と柱本体部２８との間に設けられる間隙６８にも防水材７８が挿入されており、間隙６８が塞がれている。
（第１実施形態の作用・効果）
次に、本実施形態の作用並びに効果を説明する。
【００４６】
ここで、図５に示される対比例を用いながら、本実施形態の作用並びに効果を説明することにする。なお、本実施形態と同一構成部分については同一番号を付してその説明を省略する。
【００４７】
図５に示されるように、バルコニー２００の出隅部２０２には、屋根１８を支える柱２０４が取り付けられている。柱２０４は、建物上下方向に延伸する柱本体部２０６と柱本体部２０６の上端部２０８に取り付けられるブラケット２１０とにより構成されている。この柱本体部２０６は、内部が中空とされた鉄製の角柱で構成されている。
【００４８】
ブラケット２１０は、平板状の固定材２１２と柱の呑み込み空間２１４を有する柱取付用部材２１６とにより構成されている。固定材２１２は図示しないシール材を介して柱取付用部材２１６の上側開口部２１８に図示しないビスにより締め付けられる。また、柱取付用部材２１６の断面は、柱本体部２０６の断面と相似形かつ柱本体部２０６の断面よりも大きくされており、柱本体部２０６の上端部２０８に被せて柱本体部２０６の柱の呑み込み空間２１４に柱本体部２０６が収められる構成とされている。つまり、柱本体部２０６の上端部２０８にシール材によって上側開口部２１８、すなわち柱の呑み込み空間２１４の上方が塞がれたブラケット２１０が被せられていることで、柱本体部２０６の内部へ雨水が浸入するのを防ぐ構成とされている。
【００４９】
なお、柱取付用部材２１６の側面２２０には、側面２２０の板厚方向に貫通されると共に側面２２０の面直視で長穴状に形成された位置調整用長孔２２２が形成されている。この位置調整用長孔２２２は、柱取付用部材２１６の長手方向とする向きで形成されている。また、この位置調整用長孔２２２にはボルト２２４が挿通されており、このボルト２２４が柱本体部２０６に溶着された図示しないナットと螺合することで柱本体部２０６と柱取付用部材２１６とは締結される。なお、柱本体部２０６と柱取付用部材２１６とを締結する場合には、ボルト２２４の締め付け位置を位置調整用長孔２２２の長手方向で任意の位置にて締結することで、柱本体部２０６に対する柱取付用部材２１６の建物上下方向の位置を調整することができる。
【００５０】
柱取付用部材２１６の建物外側には、外壁面材７２及び見切り材６０が設けられており、外壁面材７２と見切り材６０との間に設けられる間隙５０には防水材７８が挿入されている。これにより、外壁面材７２の外側から間隙５０を介して柱本体部２０６の内部への雨水の浸入が抑制される。                
【００５１】
しかしながら、防水材７８の経年劣化等により外壁面材７２と見切り材６０との間の間隙５０から雨水が浸入した場合、この雨水は矢印Ｗに示されるように柱取付用部材２１６の位置調整用長孔２２２から柱本体部２０６の内部へと浸入する可能性がある。同様に、ブラケット２１０における固定材２１２と柱取付用部材２１６とはシール材を介して接合されているが、シール材の劣化により固定材２１２と柱取付用部材２１６との接合部から水が浸入する可能性がある。つまり、柱本体部２０６内部への水の浸入への対策が十分とは言えない。
【００５２】
これに対し、図３に示されるように、本発明によれば、中空状の柱本体部２８の上端部３０における開口２５は、溶接で接合された金具部材３２によって塞がれている。したがって、柱本体部２８の内部への水等の侵入を防止することができる。また、金具部材３２と柱本体部２８とは、溶接により接合されているため、防水性能の低下を抑制することができる。これにより、柱本体部２８の内部への水の侵入を防止することができる。
【００５３】
また、通常バルコニー２０の出隅部２２は風雨に曝されるため、バルコニー２０の出隅部２２に設けられた柱本体部２８の内部には雨水が浸入しやすいが、本発明の柱構造では、柱本体部２８の上端部３０の開口２５は溶接で接合された金具部材３２によって塞がれているため、柱本体部２８の内部への水等の侵入を防止することができる。また、金具部材３２と柱本体部２８とは、溶接により接合されているため、防水性能の低下を抑制することができる。これにより、水が浸入しやすい箇所においても柱本体部２８の内部への水の浸入を防止することができる。
【００５４】
さらに、断面がＬ字状の既製のブラケットをブラケット４２として使用することができるので、専用のブラケットが不要となる。したがって、専用のブラケットの製造工程及び製造設備等が不要となる。これにより、コストを低減することができる。
【００５５】
さらにまた、天井フレーム７０に取り付けられるブラケット４２と柱本体部２８上部に取り付けられるブラケット４２とは、断面がＬ字状の既製のブラケットをそれぞれ使用することができるので、専用のブラケットが不要となる。したがって、専用のブラケットの製造工程及び製造設備等が不要となる。また、同一のブラケットを使用することで部品種類を削減することができる。これにより、コストをより低減させることができる。
【００５６】
また、第１ブラケット３６及び第２ブラケット３４はそれぞれが一対のブラケット４２で構成されていることから、第１ブラケット３６及び第２ブラケット３４で構成される金具部材３２の剛性を向上させることができる。
【００５７】
さらに、天井フレーム７０に取り付けられている第１ブラケット３６の側部４０同士の間の間隙５０内に柱本体部２８の上端部３０に取り付けられた第２ブラケット３４の側部４０を挿入させることで、柱本体部２８をユニット住宅１０の天井フレーム７０への取付位置へと容易にセットすることができる。これにより、作業性をより向上させることができる。
【００５８】
さらにまた、ボルト５８を締結することで、柱本体部２８をユニット住宅１０へと固定することができるため、柱本体部の建物への取付作業時間を短縮させることができる。これにより、作業性を一層向上させることができる。
【００５９】
また、金具部材３２は天井フレーム７０に直接取り付けずに蓋板４４を介して取り付けられている。すなわち、金具部材３２を蓋板４４へ取り付ける溶接作業を工場内にて作業しやすい向きで行うことができる。つまり、現場等での作業しにくい向きでの溶接作業に比べて安定した環境の中で溶接作業を行うことができる。これにより、品質を安定させることができる。
【００６０】
さらに、ユニット住宅１０の外側からの視線を見切り材６０により遮ることができる。すなわち、見切り材６０が設けられることによってユニット住宅１０の外側から柱本体部２８の上端部３０が外観上露見しなくなる。これにより、建物外観を向上させることができる。
【００６１】
さらにまた、見切り材６０と外壁面材７２との間からの水の浸入を抑制することができる。すなわち、見切り材６０と外壁面材７２との間に設けられる防水材７８が一次防水として作用することで、ユニット住宅１０の外壁面材７２に沿って流れる水の柱本体部２８内への浸入が抑制されると共に、柱本体部２８の上端部３０に取り付けられた金具部材３２が二次防水として作用することでさらに水の浸入が抑制される。したがって、風雨に曝される場所等においても柱本体部２８の上端部３０の開口２５からの水の浸入を確実に抑制することができる。これにより、柱本体部２８の内部への水の浸入を防止することができる。
【００６２】
（第２実施形態）
次に、図６を用いて、本発明の第２実施形態に係る柱構造について説明する。なお、前述した第１実施形態等と同一構成部分については、同一番号を付してその説明を省略する。
【００６３】
この第２実施形態に係る柱構造は、基本的な構成は第１実施形態と同様とされ、金具部材８０の第２ブラケット８２が単体のブラケットから構成されている点に特徴がある。
【００６４】
図６（Ａ）に示されるように、柱８４の柱本体部２８に取り付けられる第２ブラケット８２は、柱本体部２８の断面形状と略同一形状に形成された底部８６と、底部８６の略中央部から底部８６に対し直交する向きに延出された縦壁部８８とで断面が略Ｔ字状に形成されている。底部８６は、柱本体部２８の上端部３０における縁部４８の全周に溶接にて取り付けられている。
【００６５】
図６（Ｂ）に示されるように、第２ブラケット８２の上方に設けられる第１ブラケット９０は、断面が略Ｌ字状に形成されたブラケット４２が一対設けられた構成とされている。この一対のブラケット４２は、側部４０の断面外側面４６同士が対向すると共に、この側部４０同士の間に第２ブラケット８２の縦壁部８８の板厚と同一の寸法とされた間隙９２が設けられるよう蓋板４４に溶接にて取り付けられている（図３参照）。これにより、間隙９２内に第２ブラケット８２の縦壁部８８が挿入可能とされている。
【００６６】
間隙９２内に第２ブラケット８２の縦壁部８８が挿入された状態で、第１ブラケット９０におけるブラケット４２の側部４０と第２ブラケット８２における縦壁部８８とには、同一軸上の位置に板厚方向に貫通されたボルト締結用孔９４が形成されている。なお、第１ブラケット９０における一方のブラケット４２の側部４０の外側面５４には予めナット５６が溶着されている。したがって、第１ブラケット３６の間隙９２内に第２ブラケット８２の縦壁部８８を挿入し、ボルト締結用孔９４にボルト５８を挿通させてナット５６とボルト５８とを螺合させることで、第１ブラケット９０と第２ブラケット８２とが結合されて、柱８４がユニット住宅１０へと取り付けられる。
【００６７】
（第２実施形態の作用・効果）
次に、第２実施形態の作用並びに効果を説明する。
【００６８】
上記構成によれば、第１実施形態と同様に、柱本体部２８の上端部３０おける開口２５は、溶接で接合された金具部材８０によって塞がれている。したがって、柱本体部２８の内部への水等の侵入を防止することができる。また、金具部材８０と柱本体部２８とは、溶接により接合されているため、防水性能の低下を抑制することができる。これにより、柱８４の内部への水の侵入を防止することができる。
【００６９】
さらに、第２ブラケット８２は、断面が略Ｔ字状の単体の部品とされている。したがって、第２ブラケット８２自体の組立工程が簡略化される。これにより、柱８４の組立工程を簡略化することが可能となり、工期を短縮することができる。
【００７０】
（第３実施形態）
次に、図７を用いて、本発明の第３実施形態に係る柱構造について説明する。なお、前述した第１実施形態等と同一構成部分については、同一番号を付してその説明を省略する。
【００７１】
この第３実施形態に係る柱構造は、基本的な構成は第１実施形態と同様とされ、金具部材９６の第２ブラケット９８が単体の部品とされていると共に第２ブラケット９８と第１ブラケット１００とが多数の締結点により締結される点に特徴がある。
【００７２】
図７（Ａ）に示されるように、柱１０２の柱本体部２８に取り付けられる第２ブラケット９８は、柱本体部２８の断面形状と略同一形状に形成された底部１０４と底部１０４の一方の端部１０６及び一方の端部１０６と対向する他方の端部１０６から底部１０４に対し直交する向きに延出された一対の縦壁部１０８とで断面が略Ｕ字状に形成されている。底部１０４は、柱本体部２８の上端部３０における縁部４８の全周に溶接にて取り付けられている。
【００７３】
図７（Ｂ）に示されるように、第２ブラケット９８の上方に設けられる第１ブラケット１００は、断面が略Ｌ字状に形成されたブラケット４２が一対設けられた構成とされている。この一対のブラケット４２は、側部４０の断面外側面４６同士が対向すると共に、この側部４０同士の間に第２ブラケット９８の一方の縦壁部１０８の外側面１１０から他方の側壁部１１２の外側面１１３までの寸法と同一の寸法とされた間隙１１４が設けられるよう蓋板４４に溶接にて取り付けられている（図３参照）。これにより、間隙１１４内に第２ブラケット９８が挿入可能とされている。
【００７４】
間隙１１４内に第２ブラケット９８が挿入された状態で、第１ブラケット１００におけるブラケット４２の側部４０と第２ブラケット９８における一方の縦壁部１０８及び他方の縦壁部１０８とには、同一軸上の位置に板厚方向に貫通されたボルト締結用孔１１６がそれぞれ形成されている。なお、第２ブラケット９８における一方の縦壁部１０８及び他方の縦壁部１０８の内側側面１１８にはそれぞれ予めナット５６が溶着されている。したがって、第１ブラケット１００の間隙１１４内に第２ブラケット９８を挿入し、ボルト締結用孔１１６にボルト５８をそれぞれ挿通させる。そして、ナット５６とボルト５８とをそれぞれ螺合させることで、第１ブラケット１００と第２ブラケット９８とが結合されて、柱１０２がユニット住宅１０へと取り付けられる。
【００７５】
（第３実施形態の作用・効果）
次に、第３実施形態の作用並びに効果を説明する。
【００７６】
上記構成によれば、第１実施形態及び第２実施形態と同様に、柱本体部２８の上端部３０おける開口２５は、溶接で接合された金具部材９６によって塞がれている。したがって、柱本体部２８の内部への水等の侵入を防止することができる。また、金具部材９６と柱本体部２８とは、溶接により接合されているため、防水性能の低下を抑制することができる。これにより、柱１０２の内部への水の侵入を防止することができる。
【００７７】
さらに、第１ブラケット１００と第２ブラケット９８とは、第１ブラケット１００の一方のブラケット４２と第２ブラケット９８の一方の縦壁部１０８とでボルト締結されている。同様に、第１ブラケット１００の他方のブラケット４２と第２ブラケットの他方の縦壁部１０８とでもボルト締結されている。つまり、第２ブラケット９８の一方の縦壁部１０８と他方の縦壁部１０８とでそれぞれボルト締結されている。したがって、金具部材９６における第１ブラケット１００と第２ブラケット９８との接合強度を向上させることが可能となる。これにより、ユニット住宅１０のバルコニー２０の躯体の剛性を向上させることができる。
【００７８】
なお、上記の第１実施形態から第３実施形態は、何れも、第２ブラケット３４、８２、９８が柱本体部２８の上端部３０の縁部４８に取り付けられる際は縁部４８の全周を溶接することで取り付けられているが、これに限らず、縁部４８の一部を溶接して取り付けられる構成としてもよい。また、溶接と構造用接着剤等を共に用いて第２ブラケット３４、８２、９８が柱本体部２８の上端部３０の縁部４８に取り付けられる構成としてもよいし、溶接以外の手法により第２ブラケット３４、８２、９８が柱本体部２８の上端部３０の縁部４８に取り付けられる構成としてもよい。
【００７９】
また、上記の第１実施形態から第３実施形態は、何れも、柱本体部２８は角柱状に形成されていたが、これに限らず、円柱状等その他の形状としてもよい。
【００８０】
以上、本発明の実施形態について説明したが、本発明は、上記に限定されるものでなく、その主旨を逸脱しない範囲内において上記以外にも種々変形して実施することが可能であることは勿論である。
【符号の説明】
【００８１】
１０   ユニット住宅（建物）
２０   バルコニー（ロジア）
２２   出隅部（出隅）
２５   開口
２８   柱本体部
３０   上端部
３２   金具部材
３４   第２ブラケット
３６   第１ブラケット
３８   底部
４０   側部
４２   ブラケット
４４   蓋板
４８   縁部
５０   間隙
５２   ボルト締結用孔（貫通孔）
５８   ボルト（締結具）
６０   見切り材
７０   天井フレーム
７２   外壁面材（建物外壁）
８０   金具部材
８２   第２ブラケット
９０   第１ブラケット
９６   金具部材
９８   第２ブラケット
１００ 第１ブラケット
【図１】
2015151706.tif 000003
【図２】
2015151706.tif 000004
【図５】
2015151706.tif 000005
【図３】
2015151706.tif 000006
【図４】
2015151706.tif 000007
【図６】
2015151706.tif 000008
【図７】
2015151706.tif 000009